(57)【要約】【課題】従来からの技術では、介護情報や病院の専用テレビにそれら施設向けの専用情報を伝える放送として、介護施設及び病院専用のテレビ放送の技術はあった。しかし、この技術では、介護施設の中で見せる映像には、他の介護施設の広告も見えてしまう。そこで、介護施設で見られる放送に含まれる広告については、介護施設に係る広告を除ける又は自社の広告や情報のみが見られるシステムが望まれていた。【解決手段】予め、介護施設向け専用番組及び介護施設のサービス案内広告であるか否かが紐付けられたデータを記憶しておき、各種情報端末等からの閲覧時又はデータ編集依頼情報受信時には、介護施設に係る閲覧か否かを判定し介護施設に係る閲覧と判断した場合は、介護施設向け番組データと介護施設のサービス案内広告を除いた広告データとで番組データを編集し配信や放送する、又は、介護施設専門チャネルとして編集し配信や放送を行うシステム【選択図】図１
2017224262.tif 000002
【特許請求の範囲】
【請求項１】
映像データの編集又は配信システムであって、前記映像データの編集又は配信システムは、記憶装置、配信先判断手段、編集手段、受信手段、及び送信手段を備え、映像データ配信サービスの提供用の映像や番組又はテレビ放送での放送用の映像や番組のデータ（以下「番組データ」という）を受信するための各種の情報端末（以下「受信用情報端末」という）と通信可能とされており、前記記憶装置には、介護業界の各種の施設や機関（以下「介護施設」という）に係る通所や入居等のサービス案内広告のデータ（（以下「介護施設に係る広告データ」という）と、前記介護施設に係る広告データ以外のその他の広告のデータ（（以下「その他の広告データ」という）と、文字、音声、画像、ゲーム及び映像のデータである映像編集用データ（以下「映像編集用データ」という）とが記憶されており、前記受信用情報端末から、介護施設の中での閲覧及び介護施設に係る閲覧の専用番組や映像を配信又は放送する専用チャンネル（以下「介護施設向け専用チャンネル」という）の配信又は放送に係る閲覧の依頼情報を受信した場合、又は前記介護施設向け専用チャンネルに係る配信用データを編集する場合には、編集手段が「その他の広告データ」を「映像編集用データ」に挿入して介護施設向け専用チャンネルに係る番組や映像で構成される配信用のデータ（以下「配信用番組データ」という）を編集する又は前記受信用情報端末に配信や放送することを特徴とする介護施設向け映像配信システム
【請求項２】
前記受信用情報端末から、在宅介護を行っている家庭での閲覧専用番組、又は介護施設の外での閲覧及び介護施設以外に係る閲覧の専用番組や映像を配信又は放送する専門のチャンネル（以下「その他の閲覧向け専用チャンネル」という）の配信又は放送に係る閲覧の依頼情報を受信した場合、又は前記その他の閲覧向け専用チャンネルのデータを編集する場合には、編集手段が、「介護施設に係る広告データ」を「介護施設閲覧専用の番組や映像のデータを除いた映像編集用データ」に挿入して前記その他の閲覧向け専用チャンネルに係る配信用番組データを、編集又は配信や放送することを特徴とする請求項１に記載の介護施設向け映像配信システム
【請求項３】
介護施設が使用する又は介護施設が使用許可をした情報端末（以下「介護施設の情報端末」という）、前記介護施設の情報端末以外の情報端末（以下「介護施設以外の情報端末」という）、又は各種のテレビ放送を含む番組の編集や配信を行う映像配信運営者の情報端末（以下「映像配信運営者の情報端末」という）の少なくともいずれか１つとも通信可能とされており、前記受信手段が前記介護施設の情報端末、前記介護施設以外の情報端末、又は前記映像配信運営者の情報端末の少なくともいずれか１つからのアクセスを受信した場合には、前記配信先判断手段が、個々のアクセス毎に対して「前記介護施設の情報端末からのアクセスであるか否か」、又は「前記映像配信運営者の情報端末からの「前記介護施設向け専用チャンネルの番組の編集、配信又は放送であるか否か」を判定し、「介護施設の情報端末からのアクセスである」又は「「前記介護施設向け専用チャンネルの番組の編集、配信又は放送の依頼である」と判断したアクセスに対しては、「前記介護施設向け専用チャンネルの編集又は配信や放送の制作依頼情報（以下「介護施設向け専用チャンネルの制作依頼情報」という）」を紐付けて前記編集手段に送り、前記編集手段が、受信した前記介護施設向け専用チャンネルの制作依頼情報に基づいて、介護施設向け専用チャンネルに係る配信用番組データを編集し、前記送信手段からアクセスしてきた前記介護施設の情報端末に前記配信用番組データを送信する、前記映像配信運営者の情報端末に送信する、又はデータ出力することを特徴とする請求項１または請求項２に記載の介護施設向け映像配信システム
【請求項４】
前記配信先判断手段が、前記受信手段へのアクセスに対して「前記介護施設以外の情報端末からのアクセスである」、又は、「前記映像配信運営者の情報端末からの前記その他の閲覧向け専用チャンネルの編集、配信又は放送の依頼情報である」と判断をした場合には、「前記その他の閲覧向け専用チャンネルの制作依頼情報」を作成して前記偏手段に送り、前記編集手段が前記その他の閲覧向け専用チャンネルの制作依頼情報に基づいて、前記記憶装置から「介護施設に係る広告データ」と「介護施設の専用映像を除いた映像編集用データ」とを抽出して、配信用番組データを編集することを特徴とする請求項１ないし請求項３に記載の介護施設向け映像配信システム
【請求項５】
前記介護施設の情報端末又は前記介護施設以外の情報端末から、「前記映像編集用データ内の個別データ（以下「個別データ」いう）の送信依頼」と、「予め定めた前記個別データを送信許可とする条件である指定情報項目の入力」とを合わせて受信した場合には、その送信依頼を受けた情報端末に対して、前記個別データを送信することを特徴とする請求項１ないし請求項４に記載の介護施設病院向け映像配信システム
【発明の詳細な説明】
【技術分野】
【０００１】本発明は、「各種の介護サービスが提供されている介護施設（以下「介護施設」という）の中での閲覧専用」と、「介護施設に通所する人が介護施設の外で閲覧する場合を含めた「介護施設の外での閲覧用」を分けて、文字や音声や画像やゲームや映像で構成される番組データ（以下「番組データ」という）と、広告の配信用データ（以下「広告データ」という）とを合わせて編集して、配信又は放送するサービスに係るデータの選択、編集及び送信（以下「配信」ともいう）を行うめのコンピュータシステムに関する。
【背景技術】
【０００２】介護や病気やケガの治療を必要とする人が通所、通院、入居又は入院する施設等で、それら介護施設又は病院向けの専用テレビ放送や広告を配信するためのシステムは存在した。
【先行技術文献】
【０００３】
【特許文献１】特開２００１−３２５３７０号
【発明の概要】
【発明が解決しようとする課題】
【０００４】特許文献１に記載のシステムでは、介護施設又は病院のテレビや、介護施設又は病院の利用者に対して、介護や治療に関する情報や広告を配信又は放送することは出来た。【０００５】しかしながら、特許文献１に記載のシステムでは、介護施設の利用者に向けて配信又は放送される映像は、介護施設の中での閲覧用の番組や広告と、介護施設の外での閲覧用の番組や広告とを区別して配信又は放送することは出来なかった。及び、それらが区別されたチャンネルで配信又は放送することは出来なかった。ということは、要介護認定者向けの広告で多い「介護施設のサービスの紹介広告や入居又は通所に係るサービスの案内広告」（以下「介護施設に係る広告」とう）が、介護施設の中のテレビ等で、その介護施設のサービス利用者に対して他の介護施設に係る広告も見られてしまうということである。これでは、介護施設の運営者は、自社のお客様（サービス利用者）に対して、他社のライバル社等の広告の含まれる広告を見せる事となってしまい、結果として、自社のライバル社等（他の介護施設）の広告も、残念ながら自社のお客様（サービス利用者）に見せてしまうことになる。すると、介護施設の運営者は、自社施設の利用者に対して見せたい、要介護認定者向けや介護施設向けの映像配信サービスがあったとしても、それら映像配信サービスを自分のお客様（サービス利用者）には見せたくない。又は見せない傾向となってします。そこで介護施設及び介護施設の利用者向けの映像配信の映像には、介護施設のサービスの紹介広告を除いた広告のみを含めた映像を配信又は編集の出来るシステムが望まれていた。このような技術があれば、介護施設の運営者が安心して、介護施設の利用者向けに配信又は放送される映像配信を自社のお客様（サービス利用者）には見せることが出来るようになる。また、介護施設専用の番組は、在宅介護を行っている家庭を含めて介護施設の外での閲覧は不要であり、介護施設専用の番組は介護施設の中でのみ閲覧が出来るシステムも望まれていた。
【課題を解決するための手段】
【０００６】請求項１にかかる発明は、映像データの編集又は配信システムであって、前記映像データの編集又は配信システムは、記憶装置、配信先判断手段、編集手段、受信手段、及び送信手段を備え、映像データ配信サービスの提供用の映像や番組又はテレビ放送での放送用の映像や番組のデータ（以下「番組データ」という）を受信するための各種の情報端末（以下「受信用情報端末」という）と通信可能とされており、前記記憶装置には、介護業界の各種の施設や機関（以下「介護施設」という）に係る通所や入居等のサービス案内広告のデータ（（以下「介護施設に係る広告データ」という）と、前記介護施設に係る広告データ以外のその他の広告のデータ（（以下「その他の広告データ」という）と、文字、音声、画像、ゲーム及び映像のデータである映像編集用データ（以下「映像編集用データ」という）とが記憶されており、前記受信用情報端末から、介護施設の中での閲覧及び介護施設に係る閲覧の専用番組や映像を配信又は放送する専用チャンネル（以下「介護施設向け専用チャンネル」という）の配信又は放送に係る閲覧の依頼情報を受信した場合、又は前記介護施設向け専用チャンネルに係る配信用データを編集する場合には、編集手段が「その他の広告データ」を「映像編集用データ」に挿入して介護施設向け専用チャンネルに係る番組や映像で構成される配信用のデータ（以下「配信用番組データ」という）を編集する又は前記受信用情報端末に配信や放送することを特徴とする介護施設向け映像配信システムである。【０００７】かかる構成によれば、介護施設の運営側の関係者が、介護施設の利用者に対して、テレビを見せる場合には、介護施設向け専用チャンネルを選択して見せるだけで、自動的に、自分に係る介護施設の競合社の広告を見せなくする事が出来るようになる。【０００８】請求項２にかかる発明は、前記受信用情報端末から、在宅介護を行っている家庭での閲覧専用番組、又は介護施設の外での閲覧及び介護施設以外に係る閲覧の専用番組や映像を配信又は放送する専門のチャンネル（以下「その他の閲覧向け専用チャンネル」という）の配信又は放送に係る閲覧の依頼情報を受信した場合、又は前記その他の閲覧向け専用チャンネルのデータを編集する場合には、編集手段が、「介護施設に係る広告データ」を「介護施設閲覧専用の番組や映像のデータを除いた映像編集用データ」に挿入して前記その他の閲覧向け専用チャンネルに係る配信用番組データを、編集又は配信や放送することを特徴とする請求項１に記載の介護施設向け映像配信システムである。【０００９】かかる構成によれば、介護施設以外の場所、例えば、自宅（在宅介護を行っている家を含めた）で番組や映像を見る人に対しては、介護施設に係る広告を見せる、と共に、介護施設の専用映像を見せなくする事が出来る。【００１０】請求項３にかかる発明は、介護施設が使用する又は介護施設が使用許可をした情報端末（以下「介護施設の情報端末」という）、前記介護施設の情報端末以外の情報端末（以下「介護施設以外の情報端末」という）、又は各種のテレビ放送を含む番組の編集や配信を行う映像配信運営者の情報端末（以下「映像配信運営者の情報端末」という）の少なくともいずれか１つとも通信可能とされており、前記受信手段が前記介護施設の情報端末、前記介護施設以外の情報端末、又は前記映像配信運営者の情報端末の少なくともいずれか１つからのアクセスを受信した場合には、前記配信先判断手段が、個々のアクセス毎に対して「前記介護施設の情報端末からのアクセスであるか否か」、又は「前記映像配信運営者の情報端末からの「前記介護施設向け専用チャンネルの番組の編集、配信又は放送であるか否か」を判定し、「介護施設の情報端末からのアクセスである」又は「「前記介護施設向け専用チャンネルの番組の編集、配信又は放送の依頼である」と判断したアクセスに対しては、「前記介護施設向け専用チャンネルの編集又は配信や放送の制作依頼情報（以下「介護施設向け専用チャンネルの制作依頼情報」という）」を紐付けて前記編集手段に送り、前記編集手段が、受信した前記介護施設向け専用チャンネルの制作依頼情報に基づいて、介護施設向け専用チャンネルに係る配信用番組データを編集し、前記送信手段からアクセスしてきた前記介護施設の情報端末に前記配信用番組データを送信する、前記映像配信運営者の情報端末に送信する、又はデータ出力することを特徴とする請求項１または請求項２に記載の介護施設向け映像配信システムである。【００１１】かかる構成によれば、介護施設の中及び介護施設に係る閲覧で見られる番組には、介護施設のみの閲覧用である番組や映像が含まれる、と共に、介護施設に係る広告が除かれた番組や広告を見せる、配信する、又は、テレビ放送用の映像を編集することが出来るようになる。【００１２】請求項４にかかる発明は、前記配信先判断手段が、前記受信手段へのアクセスに対して「前記介護施設以外の情報端末からのアクセスである」、又は、「前記映像配信運営者の情報端末からの前記その他の閲覧向け専用チャンネルの編集、配信又は放送の依頼情報である」と判断をした場合には、「前記その他の閲覧向け専用チャンネルの制作依頼情報」を作成して前記偏手段に送り、前記編集手段が前記その他の閲覧向け専用チャンネルの制作依頼情報に基づいて、前記記憶装置から「介護施設に係る広告データ」と「介護施設の専用映像を除いた映像編集用データ」とを抽出して、配信用番組データを編集することを特徴とする請求項１ないし請求項３に記載の介護施設向け映像配信システムである。【００１３】かかる構成によれば、介護施設以外の場所、例えば、自宅（在宅介護を行っている家を含めた）で番組や映像を見る人に対しては、介護施設のみの閲覧用である番組や映像が除かれ、及び、介護施設に係る広告含まれた番組や広告を見せる、配信する、又は、テレビ放送用の映像を編集することが出来るようになる。【００１４】請求項５にかかる発明は、前記介護施設の情報端末又は前記介護施設以外の情報端末から、「前記映像編集用データ内の個別データ（以下「個別データ」いう）の送信依頼」と、「予め定めた前記個別データを送信許可とする条件である指定情報項目の入力」とを合わせて受信した場合には、その送信依頼を受けた情報端末に対して、前記個別データを送信することを特徴とする請求項１ないし請求項４に記載の介護施設病院向け映像配信システムである。【００１５】かかる構成によれば、送信又は放送で見た番組の中の特定の映像を、自分で気に入った人又は、自分の親族他の親しい人に見せたいと感じた人は、閲覧後に、自分が気に入った映像に係る前記個別データの送信を依頼して受信する事が出来る。また、利用者から前記条件項目情報を入力させることにより、その前記条件項目情報を活用した個別の広告配信も出来るようになる。
【発明の効果】
【００１６】本発明によれば、入居型（老人ホーム等）、通所型（デイサービス等）、訪問型他の各種の前記介護施設の中で介護施設の利用者（以下「介護施設の利用者」という）が、テレビ、パソコン、スマホ、携帯電話等の前記受信用情報端末情報端末で見られる番組に合わせて編集される番組や映像や広告やＰＲ（映像や文字等）を、介護施設向け専用チャンネル（介護施設の利用者向けのルクレーション時間用の映像番組、他）を、介護施設に係る広告を除いた形態で番組データの編集、送信又は放送が出来るようになる。及び、介護施設の運営側の関係者が、前記介護施設の利用者に対して、テレビを見せる場合に、介護施設向け専用チャンネルを選択して見せるだけで、自分に係る介護施設の競合社の広告を見せなくする事が出来るようになる。これは、介護施設に来ている人又は入居している人に対して、介護施設の中で、他の介護施設に係る広告を見せなくて済むようになるという事である。これによって、介護施設に係る広告を出す広告主である介護施設の運営者は、既に他の介護施設の利用者である人への無駄となる可能性の高い広告を出さなくても良くなる。及び、介護施設の運営者が、要介護認定者向け又は認知症患者向けの番組や映像を自分の介護施設の利用者に見せることが出来ると共に、他の介護施設の広告が流れない番組を見せることが出来るようになる。このようになれば、介護施設の運営者は、自社の介護施設利用者に他の介護施設の係る広告が見られてしまう心配が無くなるので、介護施設専用の番組や映像を自社の介護施設利用者に「自社の施設から他の施設へのサービス利用の移行が促進されてしまう広告もみられる」という心配なく、安心して見せることが出来るようになるのである。【００１７】また、広告主である介護施設にとっては、介護施設の外での閲覧者又は在宅介護を行っている家庭に対してのみ、自社の介護施設に係る広告を見せる事が出来るようになる。これにより、「入居型の介護施設（老人ホーム等）の運営者」の提供する介護施設に係る広告は、主たる広告を見ていただきたい対象である通所型の介護施設（ディサービス等）の利用者である在宅介護を受けている人（まだ老人ホーム等の入居型介護施設に入居していない人）に対して、入居型の介護施設（老人ホーム等の入居型介護施設）に係る広告（入居の案内広告）が見せられる。その上、広告の対象ではない入居型の介護施設（老人ホーム等の入居型介護施設）の既存入居者には見せられないように出来るので、効率の良い広告出稿が出来るようになる。及び、個別の介護施設の運営者が、自社に係る介護施設利用者にのみ、自社に係る各種の案内（広告も含めた）や番組を見せる事が出来るようになる、又は、そのための番組を編集する事が出来るようになる。尚、介護施設のみの閲覧用の番組データとは、介護施設に係る広告を除いた広告の映像データや、介護施設向けのサンプリングの案内等の介護施設向けの広告データも含まれる。
【図面の簡単な説明】
【００１８】
【図１】介護施設向け映像配信システムのブロック構成図の１例である。
【図２】情報処理の大枠の概要図を示す図である。
【発明を実施するための形態】
【実施例１】
【００１９】次に、本発明の実施形態の１つの例を、適宜図面を参照しながら詳細に説明する。図１は前記介護施設向けの広告配信システムのブロック構成図の１例である。前記介護施設向けの広告配信システム（１）は、前記記憶装置（２）、前記配信先判断手段（３）、前記編集手段（４）、前記受信手段（５）、及び前記送信手段（６）で構成されており、前記受信手段（５）と前記送信手段（６）はインターネット等のネットワークに接続している。また、インターネット等のネットワークを経由して、前記介護施設の情報端末（７）と前記介護施設以外の情報端末（８）と前記映像配信運営者の情報端末（９）とのいずれか少なくとも１つに通信可能となっている。また前記記憶装置（２）には、介護施設向け専用の番組や映像のデータであるか否かが紐付けられた前記映像編集用データ（１０）と、介護施設に係る入居、通所、訪問他の介護サービスに係る広告のデータであるか否かが紐付けられた前記配信用広告データ（１１）が記憶されている。【００２０】前記介護施設向けの広告配信システム（１）の行う情報処理を図２の例示を用いて大まかに説明する。図２内の１で示すように、介護施設の外での番組の閲覧希望者が、前記介護施設以外の情報端末（８）からインターネット等のネットワーク経由で（以下８までの通信まで同様）前記介護施設向けの広告配信システム（１）にアクセスして、まず会員登録を行う。（前記介護施設の外での番組の閲覧希望者の人とは、認知症患者を含む要介護認定者等の通所型の介護サービスの利用者を含む）次に２で示すように、前記介護施設向けの広告配信システム（１）内の前記配信先判断手段（３）が発行く又は配番した「介護施設の外での番組の閲覧希望者による閲覧である証明（以下「介護施設の外での閲覧証明」という）が行えるＩＤとパスワード（ＰＷ）」が、前記送信手段（６）から前記施設利用者以外の情報端末（８）に送信される。次に前記施設利用者以外の人が番組を閲覧したい時には３で示すように、前記施設利用者以外の情報端末（８）から前記介護施設向けの広告配信システム（１）にアクセスして番組の閲覧依頼を行う。この場合には、必ず２で受け取った介護施設の外での閲覧証明のＩＤとパスワード（ＰＷ）の入力も必ず行う事とする。すると、前記介護施設向けの広告配信システム（１）内の前記配信先判断手段（３）が、アクセス毎に紐付いたＩＤとパスワード（ＰＷ）が２で送信済みの「介護施設の外での閲覧証明のＩＤとパスワード（ＰＷ）」であると判定した場合には、このアクセスに対して送信する番組は介護施設の外での閲覧用番組と判断した情報（以下「介護施設の外での閲覧用番組判断情報」という）を前記編集手段（４）に送る。すると前記編集手段（４）は前記介護施設の外での閲覧用番組判断情報に基づいて、前記記憶装置（２）内に記憶されている「前記介護施設専用番組を除いた前記映像編集用データ（１０）」と「全ての前記配信用広告データ（１１）」を用いて番組のデータを編集し、４で示すように前記介護施設向けの広告配信システム（１）は、前記送信手段（５）から前記介護施設以外の情報端末（８）に送信する。これらの情報処理により、介護施設の外での番組の閲覧は、前記介護施設専用番組を見せない、及び、介護施設に係る広告を見せる事が出来るようになる。【００２１】次に、介護施設の中への映像データ配信の場合を説明する。図２内の５で示すように、介護施設の運営者や介護施設から許諾された者（介護施設の入居者を含む）が、前記介護施設の情報端末（７）から前記介護施設向けの広告配信システム（１）にアクセスして会員登録を行う。次に６で示すように、前記介護施設向けの広告配信システム（１）内の前記送信手段（６）から前記施設利用者の情報端末（７）に「介護施設の中での閲覧の証明（以下「介護施設での閲覧用番組判断情報」という）が出来るＩＤとパスワード（ＰＷ）」が送信される。【００２２】次に、介護施設の中で番組を閲覧したい時には、７で示すように、前記介護施設の情報端末（７）から前記介護施設向けの広告配信システム（１）にアクセスして番組の閲覧依頼を行う。この場合には、必ず８で受け取った介護施設の中での閲覧が証明が出来るＩＤとパスワード（ＰＷ）の入力も行う事とする。すると、前記介護施設向けの広告配信システム（１）内の前記配信先判断手段（３）が、アクセス毎に紐付いたＩＤとパスワード（ＰＷ）が６で送った「介護施設の中での閲覧が証明が出来るＩＤとパスワード（ＰＷ）」であると判定した場合は、このアクセスは前記施設利用者の情報端末（７）からのアクセスと判断し、このアクセスに対して送信する番組は介護施設の中での閲覧専用番組と判断した情報（以下「介護施設内向けの専用番組判断情報」という）を前記編集手段（４）に送る。すると前記編集手段（４）は送られてきた前記介護施設内向けの専用番組判断情報に基づいて、前記記憶装置（２）内に記憶されている「前記介護施設専用番組を含めた全ての前記映像編集用データ（１０）」と「前記介護施設に係る広告のデータを除いた前記配信用広告データ（１１）」を用いて番組のデータを編集し、８で示すように、前記送信手段（５）から前記介護施設の情報端末（７）に前記編集手段（５）で編集された番組のデータを送信する。これらの情報処理により、介護施設に係る広告を「介護施設の中では見せない事」が出来るようになる。これによって、前記介護施設専用番組が含まれ及び介護施設に係る広告が含まれていない番組のみを、介護施設の中では施設利用者他に対して見せる事が出来るようになる。これにより介護施設の運営者は、自社の介護施設の利用者の他の介護施設に係る介護施設の広告（自社の入居型介護施設から他の入居型介護施設への移行が促進される可能性が高まる）が見せられる心配なく前記介護施設専用番組をも含めた番組を、自社の介護施設利用者に見せる事が出来るようになる。
【実施例２】
【００２３】テレビ、ケーブルテレビ、衛星放送、タブレット、スマートフォン等で受信する放送番組としての配信又は放送を行う場合について説明する。予め、番組を「前記介護施設専用チャンネル」と「前記その他の閲覧向け専用チャンネル」に分けて視聴者に提示し、視聴者にどちらの閲覧希望かを選択させる。そして、「介護施設向け専用チャンネル」で放送される番組は「介護施設向けの番組や映像を含めた全ての前記映像編集用データ（１０）」と「前記介護施設に係る広告のデータを除いた前記配信用広告データ（１１）」を用いて番組のデータを編集した番組を送信又は放送する。これらの情報処理により、前記介護施設専用番組をも含めた及び介護施設に係る広告が含まれる番組を、介護施設の中では見せないが出来るようになる。これによって、介護施設の運営側の関係者が、介護施設の利用者に対してテレビを見せる場合には、介護施設向け専用チャンネルを選択して見せるだけで、介護施設利用者向けの番組や映像を見せる事に合わせて、自分に係る介護施設の競合社の広告を見せなくする事が出来る。また、「前記その他の閲覧向け専用チャンネル」で放送される番組は、「介護施設専用の番組や映像を除いた前記映像編集用データ（１０）」と「全ての前記配信用広告データ（１１）」を用いて編集され、介護施設に係る広告が含まれる番組や映像を見せると共に介護施設専用番組を見せない事が出来る。
【実施例３】
【００２４】映像配信運営者からの番組の編集又は配信依頼を受信した場合について説明する。この場合には、まず、前記映像配信運営者の情報端末（９）から図２内の７と同じ前記介護施設での閲覧用番組判断情報のＩＤとパスワード（ＰＷ）が前記受信手段（５）に送信され、その後の情報処理は８と同様とする。すると、「前記介護施設専用番組を含めた全ての前記映像編集用データ（１０）」と「前記介護施設に係る広告のデータを除いた前記配信用広告データ（１１）」を用いて番組のデータを編集又は制作して、映像配信運営者に送信する事が出来るようになる。また、「前記その他の閲覧向け専用チャンネルの閲覧用番組」の編集又は制作の依頼に際しては、前記映像配信運営者の情報端末（９）から図２内の３と同じ前記介護施設の外での閲覧証明が行えるＩＤとパスワード（ＰＷ）が前記受信手段（５）に送信され、その後の情報処理は４と同様とする。すると、「前記介護施設専用番組を除いた前記映像編集用データ（１０）」と「全ての前記配信用広告データ（１１）」を用いて番組のデータを編集又は制作して映像配信運営者に送信する。
【実施例４】
【００２５】個別の介護施設の運営者が、自分の運営する前記介護施設の情報端末（７）に対して映像データの配信を依頼する、映像データの配信を自分の運営する介護施設内に設置したテレビ等で自社の介護施設利用者に見せる、及び、映像データの配信に自社が放映を希望する番組や広告を配信を依頼する場合について説明する。まず、図２内の２又は６で送信するＩＤとパスワード（ＰＷ）を、個別の介護施設に係るＩＤとパスワード（ＰＷ）（以下「自社指定のＩＤとパスワード」という）を配番又は発行し、自分の介護施設が使用する又は利用者等に使用を許可した情報端末に対して配信する。及び、予め前記記憶装置（２）に自社指定のＩＤとパスワードと紐付けた前記映像編集用データ（１０）又は前記配信用広告データ（１１）を記憶しておく。その後、図２内の３又は７と同様に、前記自社指定のＩＤとパスワードを含めたアクセスの受信を前記配信先判断手段（３）が確認又は判断した場合には、前記編集手段（４）が、前記記憶装置（２）に記憶している前記自社指定のＩＤとパスワードの紐付いた前記映像編集用データ（１０）又は前記配信用広告データを、他の前記映像編集用データ（１０）と合わせて編集した番組を、図２内の４又は８と同様に、前記送信手段（６）から配信する、編集する、又は編集してテレビに放送する。これにより個別の介護施設の運営に係る者が、自社の介護施設の利用者にのみ、自社の指定した映像、番組又は広告を見せる事が出来るようになる又はそのための番組を編集する事が出来るようになる。
【実施例５】
【００２６】送信又は放送で見た番組の中の特定の映像を、自分で気に入った人、又は、自分の親族他の親しい人に見せたいと感じた人が、番組の閲覧後に、自分が気に入った映像に係る前記個別データの送信を依頼して受信する場合について説明する。ます、前記介護施設の情報端末又は前記介護施設以外の情報端末から「前記映像編集用データ内の個別データ（以下「個別データ」いう）の送信依頼」と「予め定めた前記個別データを送信許可とする条件である指定情報項目（以下「条件項目情報」という）の入力」とを合わせて送信する。この場合の、前記条件項目情報とは、例えば、前記個別データに係る映像を見たい人又は見せたい人に係る各種の情報であり、例えば、年齢、要介護認定区分や認知症の病状等、住所、個人情報や趣味や好み、又は依頼者の個人情報や見せたい人との関係のいずれか少なくとも１つの情報である。この前記条件項目情報を予め前記個別データの送信の「許可条件」として提示し入力を条件とする。そして、前記個別データの送信依頼と、予め指定した前記条件項目情報の受信の確認が出来た場合には、前記個別データを依頼してきた前記介護施設の情報端末又は前記介護施設以外の情報端末に送る。尚、具体例としては、毎月、介護施設が開催する介護施設利用者の誕生日会において、「個別の誕生日を迎えた介護施設利用者への誕生日プレゼントとして、誕生日を迎えた介護施設利用者の方が生まれた地方の昔の写真や映像等（前記個別データ）の送信を、介護施設の運営者が予め依頼し（前記条件項目情報も入力して）、その後に送信を受けて紙等に出力しておく。そして、誕生日会で誕生日プレゼントとしてお贈りする。」といった介護施設の利用者である高齢者の方々が喜んでいただける（昔を懐かしんで）ことの実施が可能となるのである。【００２７】また、本システムを用いて映像配信サービスの提供を行う者にとっては、前記個別データに係る映像を見たい又は見せたい人の各種情報を「前記条件項目情報」として指定しておくことで、入手する事が出来る事になる。すると、この前記条件項目情報を入手した映像配信サービスの提供を行う者は、入手したその前記条件項目情報を用いての広告配信が出来ることにもなるのである。
【産業上の利用可能性】
【００２８】本発明は携帯電話端末、ＰＤＡ（Ｐｅｒｓｏｎａｌ  Ｄｉｇｉｔａｌ  Ａｓｓｉｓｔａｎｔ）等携帯端末、パーソナルコンピュータ、大型コンピュータ等のシステムの各サーバ又は端末装置に利用することが可能である。
【符号の説明】
【００２９】（１）    介護施設向け映像配信システム
（２）    記憶装置
（３）    配信先判断手段
（４）    編集手段
（５）    受信手段
（６）    送信手段
（７）    介護施設の情報端末
（８）    介護施設以外の情報端末
（９）    映像配信運営者の情報端末
（１０）  映像編集用データ
（１１）  配信用広告データ
【図１】
2017224262.tif 000003
【図２】
2017224262.tif 000004